(57)【要約】【課題】柔軟性を有する素材からなる基材に複数本の紐状体を縫着してトリミング教材を製造する場合においても、紐状体の縫着位置及び長さのばらつきを防止できるトリミング練習用教材の製造方法を提供する。【解決手段】トリミング練習用教材の製造に治具１を使用する。治具１は長板状をなし、一長辺に沿って紐状体（例えば毛糸２）の縫着位置の基準となる基準孔１０ａが設けられている。また、治具１には、他の長辺と基準孔１０ａとの間に、紐状体を切断する指標が設けられている。この指標は例えば孔又は溝１０ｂである。そして、この治具１の周囲に紐状体を巻き付けたものを基材に仮固定した後、指標の位置で毛糸２等の紐状体を切断する。そして、例えば基準孔１０ａの内面をミシンのガイドとして使用して紐状体を基材に縫着する。【選択図】図１
2012150160.tif 000002
【特許請求の範囲】
【請求項１】
柔軟性を有する素材からなる基材に動物の毛を模した複数本の紐状体が縫着されたトリミング練習用教材の製造方法において、
長板状をなしその一長辺に沿って前記紐状体の縫着位置の基準となる基準孔が設けられ、他の長辺と前記基準孔との間に前記紐状体を所定の長さに切断する指標が設けられた治具を使用する方法であって、
この治具の周囲に前記紐状体を巻き付ける工程と、
前記紐状体が巻き付けられた治具を前記基材上に載置した後、前記基材に仮固定する工程と、
前記指標の位置にて前記紐状体を切断する工程と、
切断した紐状体の前記基準孔側の一端部を前記基準孔側に展開する工程と、
前記基準孔の位置にて前記治具と前記基材との間に挟持されている紐状体を前記基材に直線状に折り返し前の縫着をする工程と、
前記治具を前記基材から取り外す工程と、
前記紐状体を前記縫着位置の近傍にて折り返して前記他端部側の紐状体を前記一端部側の紐状体の上に重ねる工程と、
前記他端部側の紐状体を前記折り返した位置の近傍にて前記一端部側の紐状体と共に前記基材に直線状に折り返し後の縫着をする工程と、
を有することを特徴とするトリミング練習用教材の製造方法。
【請求項２】
前記基材における従前の折り返し位置よりも前記紐状体の端部の反対側の位置にずれた位置にて、他の紐状体を前記基材に直線状に次順の折り返し前の縫着をする工程と、前記他の紐状体を直線状に次順の折り返し後の縫着をする工程とを組み合わせて１又は複数回繰り返すことを特徴とする請求項１に記載のトリミング練習用教材の製造方法。
【請求項３】
前記治具の指標は、前記基準孔と平行に延びる孔又は溝であることを特徴とする請求項１又は２に記載のトリミング練習用教材の製造方法。
【発明の詳細な説明】
【技術分野】
【０００１】
本発明は、柔軟性を有する素材からなる基材に動物の毛を模した複数本の毛糸等の紐状体が縫着されたトリミング練習用教材の製造方法に関し、特に、紐状体の縫着位置及び長さのばらつきを防止できるトリミング練習用教材の製造方法に関する。
【背景技術】
【０００２】
従来、ペット用等の動物の毛のトリミングの練習においては、モデルとなる動物の毛を実際にトリミングする方法の他、柔軟性を有するベース部材に動物の毛を模した毛糸等の紐状体を縫い付けた教材を使用する方法（例えば特許文献１）、又は動物を模したぬいぐるみに紐状体を縫い付けた教材を使用する方法（例えば特許文献２）等が採用されている。
【０００３】
上記特許文献１に開示されたトリミング練習用教材は、複数本の毛糸を撚り合わせた後、Ｕ字状に折り曲げ、可撓性を有するベース部材上に複数個並置し、折り曲げ部近傍にて毛糸をベース部材に縫着したものである。
【０００４】
特許文献２に開示されたトリミング用ドッグウィッグは、動物の毛を模した合成繊維及び軟質樹脂等からなる糸を、ぬいぐるみの表面布地にミシンを使用して縫い付けたものである。
【先行技術文献】
【特許文献】
【０００５】
【特許文献１】実登３０４６８７７号公報
【特許文献２】特開２００５−３１６０３号公報
【発明の概要】
【発明が解決しようとする課題】
【０００６】
しかしながら、上記従来の技術には、以下のような問題点がある。即ち、特許文献１に開示されたトリミング練習用教材は、複数本の毛糸を撚り合わせたものを折り曲げた際に、自由端となる毛糸の端部がばらつき、また、素材自体の膨らみにより、ベース部材に縫い付ける際に、毛糸がばらけたり、縫着位置がずれやすく、各毛糸の長さもばらつきやすいという問題点がある。また、各毛糸のばらけ及び位置のずれにより、ベース部材上に複数本の毛糸を並べて一度に縫着する作業が煩雑となり、生産性も低い。
【０００７】
特許文献２の技術は、動物の毛を模した糸がミシンにより縫い付け可能な素材で構成されている場合については好適であるが、毛糸のような太い素材を布地等の基材に縫い付ける場合には適しない。
【０００８】
本発明はかかる問題点に鑑みてなされたものであって、柔軟性を有する素材からなる基材に複数本の紐状体を縫着してトリミング教材を製造する場合においても、紐状体の縫着位置及び長さのばらつきを防止できるトリミング練習用教材の製造方法を提供することを目的とする。
【課題を解決するための手段】
【０００９】
本発明に係るトリミング練習用教材の製造方法は、柔軟性を有する素材からなる基材に動物の毛を模した複数本の紐状体が縫着されたトリミング練習用教材の製造方法において、長板状をなしその一長辺に沿って前記紐状体の縫着位置の基準となる基準孔が設けられ、他の長辺と前記基準孔との間に前記紐状体を所定の長さに切断する指標が設けられた治具を使用する方法であって、この治具の周囲に前記紐状体を巻き付ける工程と、前記紐状体が巻き付けられた治具を前記基材上に載置した後、前記基材に仮固定する工程と、前記指標の位置にて前記紐状体を切断する工程と、切断した紐状体の前記基準孔側の一端部を前記基準孔側に展開する工程と、前記基準孔の位置にて前記治具と前記基材との間に挟持されている紐状体を前記基材に直線状に折り返し前の縫着をする工程と、前記治具を前記基材から取り外す工程と、前記紐状体を前記縫着位置の近傍にて折り返して前記他端部側の紐状体を前記一端部側の紐状体の上に重ねる工程と、前記他端部側の紐状体を前記折り返した位置の近傍にて前記一端部側の紐状体と共に前記基材に直線状に折り返し後の縫着をする工程と、を有することを特徴とする。なお、本発明における紐状体とは、毛糸、及び合成繊維等の材料からなる紐形状の素材を意味する。
【００１０】
本発明に係るトリミング練習用教材の製造方法は、例えば前記基材における従前の折り返し位置よりも前記紐状体の端部の反対側の位置にずれた位置にて、他の紐状体を前記基材に直線状に次順の折り返し前の縫着をする工程と、前記他の紐状体を直線状に次順の折り返し後の縫着をする工程とを組み合わせて１又は複数回繰り返す。
【００１１】
例えば前記治具の指標は、前記基準孔と平行に延びる孔又は溝である。
【発明の効果】
【００１２】
本発明に係るトリミング練習用教材の製造方法は、紐状体の縫着に長板状の治具を使用しており、この治具には、一長辺に沿って紐状体を基材に縫着する位置の基準孔が設けられており、更に、紐状体を所定の長さに切断する指標が設けられている。そして、この治具の周囲に紐状体を巻き付けたものを基材上に仮固定するため、指標の位置で紐状体を切断しても、紐状体は基材と治具との間に保持され、ばらけることはない。この状態で、基準孔の位置で紐状体を基材に縫着し、治具を基材から取り外した後、紐状体を折り返して両端部を重ね、折り返した位置の近傍で紐状体を基材に縫着するため、紐状体は基材上に精度よく縫着され、各紐状体の長さがばらつくことも防止できる。
【図面の簡単な説明】
【００１３】
【図１】（ａ），（ｂ）は、本発明の実施形態に係るトリミング練習用教材の製造に使用する治具を示す図であり、（ｃ）はこの治具に毛糸等の紐状体を巻き付けた状態を示す図である。
【図２】（ａ）乃至（ｆ）は、本発明の実施形態に係るトリミング練習用教材の製造方法をその工程順に示す図である。
【図３】（ａ）は、図２（ｆ）に示す工程の後に治具を取り外した状態を示す図、（ｂ），（ｃ）は毛糸を折り返して重ねる工程を示す図、（ｄ）は折り返した後の毛糸を基材に縫着した状態を示す図、（ｅ）乃至（ｇ）は２段目以降の毛糸を基材に縫着する工程を示す図である。
【発明を実施するための形態】
【００１４】
以下、添付の図面を参照して本発明の実施形態について具体的に説明する。図１（ａ），図１（ｂ）は、本発明の実施形態に係るトリミング練習用教材の製造に使用する治具を示す図であり、図１（ｃ）はこの治具に毛糸等の紐状体を巻き付けた状態を示す図である。図１に示すように、本実施形態の治具は、長板状の治具本体１０と、２枚の側板１１により構成されており、側板１１は、夫々、治具本体１０の短辺に沿って延び、治具本体１０の同一の表面に例えばネジ等により固定されている。これらの治具本体１０及び側板１１は、例えば鉄等の金属製である。
【００１５】
治具本体１０となる板は、例えば幅が７４ｍｍ、長さが２９５ｍｍ、厚さが１ｍｍ程度であり、製造されるトリミング練習用教材の大きさに合わせて、好適な寸法のものが使用される。図１（ａ）に示すように、治具本体１０には、その一長辺に沿って例えば矩形の孔が設けられており、この孔を紐状体の縫着位置の基準孔１０ａとして使用する。例えば後述するミシン４の押さえ板４ａを基準孔１０ａの内面に沿って移動させながら、基材３上の所定の位置に配置された毛糸２を、ミシン４により基材３に縫い付ける。基準孔１０ａは、例えば治具本体１０の縁部から１０ｍｍ程度離隔した位置に設けられている。この縁部からの距離により、例えば毛糸等の紐状体を複数段にわたって縫着する際には、隣接する段同士を所定長離隔するように形成することができる。基準孔１０ａは、例えば押さえ板４ａの大きさによって適正な幅で設けられており、基準孔１０ａの長さは紐状体を縫着する領域の長さにより、最適な長さで設けられている。紐状体の縫着を手縫いにより行う場合には、基準孔１０ａの幅は、例えば縫い針の径よりも若干大きく、且つ後述するマーキングが確認できる大きさで設けられている。
【００１６】
治具本体１０の基準孔と他方の長辺との間には、治具１の周囲に巻き付けた毛糸等の紐状体を所定の長さに切断するための指標が設けられている。この指標は、例えば紐状体をハサミ等により切断する際に、切断用の工具を案内するガイドとして機能する構成であることが好ましい。本実施形態においては、治具本体１０には、紐状体の切断位置の指標として溝１０ｂが設けられているが、例えば溝１０ｂに代えて、切断位置の指標を孔により構成してもよい。紐状体の切断工具用のガイドを必要としない場合においては、単に、治具本体１０の長手方向に延びる線が設けられていてもよい。
【００１７】
２枚の側板１１は、治具１に紐状体を巻き付ける範囲の指標として機能する。即ち、この治具１に毛糸等の紐状体を巻きつける際には、図１（ｃ）に示すように、治具本体１０の側板１１間の領域に紐状体を巻き付けていく。また、側板１１は、後述するミシン４の押さえ板４ａに対しては、ストッパとして機能し、縫製位置の前端及び後端の基準位置となる。
【００１８】
次に、この治具を使用したトリミング練習用教材の製造方法について、図２及び図３を参照して説明する。図２（ａ）乃至図２（ｆ）は、本発明の実施形態に係るトリミング練習用教材の製造方法をその工程順に示す図である。また、図３（ａ）は、図２（ｆ）に示す工程の後に治具を取り外した状態を示す図、図３（ｂ），図３（ｃ）は毛糸を折り返して重ねる工程を示す図、図３（ｄ）は折り返した後の毛糸を基材に縫着した状態を示す図、図３（ｅ）乃至図３（ｇ）は２段目以降の毛糸を基材に縫着する工程を示す図である。なお、本発明においては、紐状体は、毛糸、及び合成繊維等の材料からなる紐形状の素材を使用することができるが、本実施形態においては、紐状体として毛糸２を使用する場合について説明する。
【００１９】
図１（ｃ）に示すように、本実施形態においては、先ず、上記のような治具１に毛糸２を巻き付ける。即ち、治具本体１０の周囲における側板１１間の領域に毛糸２を巻き付ける。次に、図２（ａ）に示すように、毛糸２を巻き付けた治具１を基材３上に載置する。基材３としては、例えば一般的な布等、柔軟性を有する素材からなるものを使用することができ、更に、ゴム及び樹脂等の更に可撓性を有する素材からなるものを使用できる。基材３には、例えば、予め縫製位置をペン等によりマーキングしておく。そして、このマーキングが前記基準孔１０ａを通して見える位置に毛糸２を巻き付けた治具１を載置する。
【００２０】
次に、治具１を基材３に仮固定する。例えば、図２（ｂ）に示すように、基材３の端部を折り曲げて、折り曲げ部３ａにより治具１を挟み込んだ後、クリップで仮固定する。このとき、図２（ｃ）に示すように、ミシン４の押さえ板４ａ及び縫い針を基準孔１０ａの上方に配置し、基準孔１０ａの内面を押さえ板４ａのガイドとして使用した際に、縫い針の位置が所定のマーキング位置となるように調整しながら仮固定を行う。治具１を基材３に仮固定することにより、治具１の周囲に巻き付けた毛糸２は、治具１の裏面にて基材３と治具１との間に保持される。
【００２１】
次に、図２（ｄ）に示すように、治具１の表面側に露出している毛糸２を、指標位置にて切断する。本実施形態においては、治具本体１０の表面には、溝１０ｂが設けられており、この溝１０ｂを例えばハサミ等の工具の案内用ガイドとして使用する。よって、治具１の周囲に複数回巻き付けられた毛糸２は、全て均一な長さで複数本に切断される。このとき、毛糸２の一端部側は、切断により開放端となるが、上記の如く、毛糸２は、治具１の裏面と基材３との間にずれることなく保持されており、切断された複数本の毛糸２がばらけることはない。毛糸２の切断が完了したら、図２（ｅ）に示すように、基準孔１０ａの上部に毛糸２が配置されないように、開放端となった毛糸２の一端部を展開する。
【００２２】
この状態で、ミシン４の押さえ板４ａを基準孔１０ａ内に配置し、縫着の準備を行う。即ち、基準孔１０ａの内面を押さえ板４ａのガイドとして使用する場合には、基準孔４ａの内面に押さえ板４ａの側面を接触させる。また、縫着の開始位置にミシン４を配置するために、例えば一方の側板１１に押さえ板４ａの後面を接触させる。そして、ミシン４を駆動させ、図２（ｆ）に示すように、基材３と治具１との間に保持された毛糸２を、基準孔１０ａの位置で基材３に縫着していく。縫着を終了する位置は、例えば他方の側板１１にミシン４の押さえ板４ａの前面が接触した位置とする。
【００２３】
ミシン４による縫着が終了したらクリップ等による仮固定を解除する。そして、治具１を基材３から取り外す。これにより、図３（ａ）に示すように、複数本の毛糸２の両端部が整然と揃った状態で、基材３に精度よく縫着されたものが製造される。次に、図３（ｂ）に示すように、毛糸２の一端部側に他端部側の毛糸２が重なるように、縫着部５の近傍で毛糸を折り返し、図３（ｃ）に示す状態とする。そして、図３（ｄ）に示すように、折り返し位置の近傍で、上下の毛糸２を一体的にミシン等により基材３に縫着する。これにより、上下に重なった毛糸２についても、相互間の端部がばらつくことなく均一に揃う。  
【００２４】
以上のように、本実施形態においては、トリミング練習用教材の製造に治具１を使用しており、この治具１には、毛糸２等の紐状体を基材３に縫着する位置の基準孔３ａが設けられており、更に、紐状体を所定の長さに切断する溝３ｂ等の指標が設けられている。そして、この治具１の周囲に紐状体を巻き付けたものを基材３上に仮固定するため、指標の位置で紐状体を切断しても、紐状体は基材３と治具１との間に保持され、ばらけることはない。この状態で、基準孔３ａの位置で紐状体を基材３に縫着し、治具１を基材３から取り外した後、紐状体を折り返して両端部を重ね、折り返した位置の近傍で紐状体を基材３に縫着するため、紐状体は基材３上に精度よく縫着され、各紐状体の長さがばらつくことも防止できる。
【００２５】
なお、上記のような工程を１又は複数回繰り返すことにより、動物の毛を模した毛糸２を１段又は複数段、精度よく基材３に縫着できる。次の段の毛糸２を基材３に縫着する際には、例えば、図３（ｅ）に示すように、治具１の周囲に毛糸２を巻き付けたものを、従前の折り返し位置よりも毛糸２の端部の反対側の位置にずれた位置に配置する。例えば、治具１の周囲に毛糸２を巻き付けたものを、前の段の折り返し部に突き当てて配置する。又は、上記の場合と同様に、予めペン等によりマーキングした位置が縫製位置となるように、治具１を基材３に仮固定する位置を調節する。これにより、次順の毛糸２の基材３への縫着位置は、基材３における従前の折り返し位置よりも毛糸３の端部の反対側の位置にずれた位置となる。この位置にて、上記と同様の工程により、図３（ｆ），図３（ｇ）に示すように、次の段の毛糸２を基材３に縫着する。これにより、折り返し位置が順次ずれて、毛糸２が複数段、基材３に縫着されたものが製造される。この場合においても、基材３に毛糸２を縫着する際には、治具１を使用しているため、毛糸２を指標となる溝の位置で切断した際に、毛糸２は、治具１の裏面と基材３と治具１との間にずれることなく保持されており、切断された複数本の毛糸２がばらけることはない。また、複数本の毛糸２が、その両端部が整然と揃った状態で、基材３に精度よく縫着されたものが製造され、各毛糸の長さがばらつくことも防止できる。
【００２６】
なお、本実施形態においては、毛糸２の縫着にミシン４を使用した場合について説明したが、縫着を手作業で行う場合においても、本実施形態と同様の効果を得ることができる。
【００２７】
従来のトリミング練習用教材の製造工程においては、動物の毛を模した紐状体を縫着する際に、素材の性質により縫着位置がずれたり、複数本の毛糸等の紐状体がばらけてしまい、生産性が低いという問題があったが、トリミング練習用教材の製造に本実施形態のような治具を使用することにより、紐状体の縫着位置のずれ及び長さのばらつきを防止でき、例えば紐状体の縫着にミシンを使用すれば、生産性が飛躍的に向上する。
【符号の説明】
【００２８】
１：治具、１０：治具本体、１０ａ：基準孔、１０ｂ：溝、１１：側板、２：毛糸、３：基材、３ａ：仮止め部、４：ミシン、４ａ：押さえ板、５：縫着部
【図１】
2012150160.tif 000003
【図２】
2012150160.tif 000004
【図３】
2012150160.tif 000005